(57)【要約】ランセット（外科用針）が、概略、管状のボディ１と、ボディ１の一端を塞ぐ閉鎖端を持つ中空のインサート４を有し、ボディのその一端で鋭い先端部を形成している、同軸の突起５を持っている。ボディ１とインサート４は、２回射出成型法により、同時に形成される。ボディはポリエチレンにより作られ、インサートは、十分な強度の鋭い先端部を創成する液状透明高分子材で作られる。
2005516690.tif 000002
【特許請求の範囲】
【請求項１】
一端から伸びる鋭い先端部を備える樹脂製インサート（挿入体）を持つ、細長い樹脂体を備えた皮膚刺し具用ランセット（外科用針）であって、
前記インサートの樹脂材料は、液状透明高分子材であることを特徴とする、皮膚刺し具用ランセット。
【請求項２】
請求項１に記載の皮膚刺し具用ランセットであって、
前記ランセットのボディはポリエチレンで作られていることを特徴とする、皮膚刺し具用ランセット。
【請求項３】
請求項１又は請求項２に記載の皮膚刺し具用ランセットであって、
前記ボディと前記インサートは、単一工程で２回射出成型法により一緒に成型されていることを特徴とする、皮膚刺し具用ランセット。
【請求項４】
請求項１から請求項３のいずれか１項に記載の皮膚刺し具用ランセットであって、
前記インサートは、中空であり、鋭い先端を持つ閉鎖端を有することを特徴とする、皮膚刺し具用ランセット。
【請求項５】
請求項１から請求項４のいずれか１項に記載の皮膚刺し具用ランセットであって、
前記ボディは、概略、管状であり、一端を塞いでいる前記インサートを有していることを特徴とする、皮膚刺し具用ランセット。
【請求項６】
請求項１から請求項５のいずれか１項に記載の皮膚刺し具用ランセットであって、
前記ボディには、外部長手フィンが形成されていることを特徴とする、皮膚刺し具用ランセット。
【請求項７】
請求項１から請求項６のいずれか１項に記載の皮膚刺し具用ランセットであって、
前記鋭い先端部を保護するために、ねじり取りキャップが前記インサートに一体に形成されていることを特徴とする、皮膚刺し具用ランセット。
【請求項８】
実質上、本願添付の図面を参照にして本願にて記述されているランセット。
【請求項９】
本願にて記述されているランセット又は本願添付の図面で示されているランセットの特徴点との周知の組合せに係るもの。
【発明の詳細な説明】
【技術分野】
【０００１】
本発明は、分析用血液滴の採取に使用する皮膚刺し具用ランセット（ lancets; 外科用針）に関する。
【背景技術】
【０００２】
このようなランセットの従来品は、鋼針が、一端から突起している鋭い先端部を除いて、細長い樹脂体により完全に包まれている構造になっている。この樹脂構造により持ち運びが容易になり、協働可能な火器により誘導されることが可能でかつスプリングの一端を設置可能な形状とすることができる。ちなみに、このスプリングが解放されると、スプリングによりランセットが前方へ射出される。針の先端を、樹脂体と一体成型されたねじり取り用キャップで包むことも極めて普通である。このことにより、針の先端を、使用直前まで、安全で清潔に保つこととなる。
【発明の開示】
【発明が解決しようとする課題】
【０００３】
鋼針の問題の１つは、鋼針は一般的に、先端部から一方へ伸びる真直な円筒形をしており、シリコーンが付着されていることである。このため樹脂体は、摩擦がほとんど無い状態で針を把持していることとなる。そして、キャップをねじり引張った時、針が、樹脂体に対して前方へ移動することが知られている。この結果、ランセットが着火された時、（皮膚への）一刺しが深くなり過ぎることとなる。
【０００４】
このようなランセットの製造は、必ず１つ以上の工程を含んでいる。鋼針は、最初に製造されなければならない。これは、鋼素材の搬入工程、研磨その他の先端部を形成するための先鋭化工程が、鋼針の製造において実施されることを意味する。それから、針は、樹脂型の中に設置され、最終的に、樹脂体で包まれる。工程数を減らして樹脂体を持つ針先端を形成できれば、明らかに有利である。しかし、全てが鋼でできたランセットは、少なくともランセットが使い捨てで１回使用品であるため、過剰な浪費物であるとまでは言い切れない。一方樹脂体と同じ材料の一端に先端部を作るような単純成型は、汎用樹脂（ポリエチレン）を採用する場合には、十分先鋭な端部を形成することはできない。
【０００５】
本発明の目的は、少なくとも部分的にこれらの欠点を克服することである。
【課題を解決するための手段】
【０００６】
本発明により、皮膚刺し具用ランセットであって、一端から伸びる鋭い先端部を備える樹脂製インサート（挿入体）を持つ、細長い樹脂体を備えたランセットが提供される。インサートの樹脂材料は、液状透明高分子材である。
【０００７】
このような液状透明高分子材は、溶融した時、非常に低い粘度となり、ほとんど水のように流れる。それゆえ、前記高分子材は、針先端部を形成するところの、樹脂型キャビティ（くぼみ）の隅々へ十分に浸透する。そのうえ、針先端部が樹脂流れの方向に合わせられている場合には、その強度は非常に高くなる。それゆえインサートは、鋭く使用に耐え得る先端部を持って樹脂型から現れる。
【０００８】
液状透明高分子材は、価格が高い。このため、ランセットのボディは、安い材料で構成する。すなわち、前記ボディは、ポリエチレンが引き続き使用される。
【０００９】
ボディとインサートは、単一工程で２回射出成型法により一緒に成型することが可能である。
【００１０】
ボディは、概略、管状であり、インサートがその一端を塞いでいることが好ましい。このことより、火器のスプリングが、ボディの塞がれた一端とは別の開放した一端に入りインサートに直接作用することが可能となる。その時、ボディは、主に、案内部材としての機能を果たす。スプリングは、ボディの後端には作用しないため、火器は、従来形より小形にすることができる。
【００１１】
全樹脂構造の更なる利点は、このようなランセットを焼却により完全に処理することが容易になることである。溶解したり、焼却できる鋼は無いからである。
【００１２】
多くの火器は、使用後の安全のため自動的にランセットを引っ込めるが、全樹脂製ランセットは、先端が露出していた場合、ある程度安全にすることは極めて容易である。固い面にある角度をもって、押し付けることにより、先端が破壊され、鈍くなった切株状のものが残るからである。
【発明を実施するための最良の形態】
【００１３】
本発明に係る一実施例について、図を参照しながら説明する。ランセットは、通常、均等に間隔を空けた４つの外部長手フィン２を持つ管状ボディ１を有している。２つの対向フィンは中央部において、成型工程の一部として残された、ボディ１を通過する穴３によりさえぎられる。
【００１４】
閉鎖端を持つ中空のインサート４は、ボディ１の一端を塞いでおり、ボディのその一端で鋭い先端部を形成している、同軸の突起５を持っている。
【００１５】
２回射出成型法により、インサート４が最初に成型され、その後、針先端部５を囲繞し保護する殺菌したシールド部を備えるねじり取りキャップ６を形成しながら、ボディ１がインサート４の回りに成型される。ボディは、ポリエチレンのような低価格で柔らかい材料で作られ、一方、インサートは、液状透明高分子材で作られる。
【図面の簡単な説明】
【００１６】
【図１】本発明に係る全樹脂製ランセットの側面図である。
【図２】図１に示すランセットを９０°の角度から見た側面図である。
【図３】図１に示すランセットの断面図である。
【図１】
2005516690.tif 000003
【図２】
2005516690.tif 000004
【図３】
2005516690.tif 000005
【国際調査報告】
2005516690.tif 000006
2005516690.tif 000007
2005516690.tif 000008
2005516690.tif 000009
2005516690.tif 000010